(57)【要約】【課題】省資源化、コストダウンを目的とする剥離紙のない伝票類カバー用粘着袋を提供する。【解決手段】２枚の透明プラスチックフィルムを重合して３辺周縁若しくは上下２辺を熱溶着４し、一方若しくは左右端を開放端５とした袋状の伝票類カバーであって、下面シート３の背面に平行する帯状の粘着剤層７を形成すると共に、上面シート２の表面に剥離処理の施された剥離コート層６を形成して伝票類カバー用粘着袋１とした。また、使用に便利なように、１枚地の伝票類カバー用粘着袋１に切離できる分離線８を、熱溶着された連設部９に形成した。【選択図】図１
0003111630.tif 000002
【実用新案登録請求の範囲】
【請求項１】
２枚のプラスチックフィルムを重合し、３辺周縁を熱溶着し、一方を開放端とした袋状の伝票類カバーであって、該伝票類カバーの下面シートの背面に複数列の帯状の粘着剤層を形成すると共に、上面シートの表面に剥離コート層を形成した剥離紙のない伝票類カバー用粘着袋。
【請求項２】
２枚のプラスチックフィルムを重合し、上下の２辺を熱溶着し、左右の２辺を開放端とした袋状の伝票類カバーであって、該伝票類カバーの下面シートの背面に複数列の帯状の粘着剤層を形成すると共に、上面シートの表面に剥離コート層を形成した剥離紙のない伝票類カバー用粘着袋。
【請求項３】
巾方向に連続する伝票類カバーの熱溶着された連設部に、切離用の分離線を形成した請求項１または２記載の剥離紙のない伝票類カバー用粘着袋。
【考案の詳細な説明】
【技術分野】
【０００１】
この考案は、２枚の透明プラスチックフィルムの３辺を熱溶着して袋状に形成し、背面に粘着剤を塗布した伝票類を介在させて封入する伝票類カバーであって、剥離紙を必要としない省資源化を目的とする伝票類カバー用粘着袋である。
【背景技術】
【０００２】
一般に、配送業者が依頼主より荷物を受取り、荷受先に配送するに送り状、納品書などの伝票類が荷物に貼り付けられる。この伝票類の脱落を防ぎ保護する為に、透明なプラスチックフィルムの袋状カバーに封入され、このカバーを背面に塗布した粘着剤にて荷物に貼り付けている。
【０００３】
例えば、一般に伝票類を封入しやすくするために図７に示すような３辺を熱溶着した袋状の伝票類カバーがよく使用されている。この場合、被着体に取り付けるため、袋状カバーの背面側の全域か、或いは４辺の周縁部に粘着剤が塗布され、剥離紙により担持されている。
【０００４】
また、封入した伝票類の搬送中の脱落を防ぐために、実用新案登録第３１０５５９１号公報のような提案も見られる。この場合は、重ね合わせたシート状の４辺又は３辺が熱溶着された袋状のカバーの片側に、平行する２本のミシン目を形成して封入した伝票類を取り出し易くしているが、被着体にカバーを接着する粘着剤が背面に塗布され、この粘着剤層を担持する為、離型処理の施された剥離紙が使用されている。
【０００５】
しかし、上記で紹介した先行例の場合、伝票類カバーを被着体に貼り付けるために粘着剤を背面に塗布し、この粘着剤を担持するために剥離紙を重合しており、材料コストが嵩む欠点を有する。即ち、剥離紙は伝票類カバーを剥がした後はゴミとして処理されるにすぎない。近年、省資源化、コストダウンが課題となり、ゴミの出ない資材が求められている。
【０００６】
【特許文献１】実用新案登録第３１０５５９１号公報
【考案の開示】
【考案が解決しようとする課題】
【０００７】
本考案は、流通コストの低減が可能で、省資源化を達成できる伝票類カバーを得ることを目的とし、且つ、搬送途中で封入した伝票類が脱落しない確実な保持を達成する剥離紙のない伝票類カバー用粘着袋を提供するものである。
【課題を解決するための手段】
【０００８】
その為、請求項１に係る本考案は、２枚の透明プラスチックフィルムを重合して３辺を熱溶着した上で一方を開放端とした伝票類カバーであって、該伝票類カバーの背面に平行する複数列の帯状の粘着剤層を形成すると共に、上面シートの表面に剥離処理の施された剥離コート層を形成した、剥離紙のない伝票類カバー用粘着袋としたものである。
【０００９】
また、請求項２に係る本考案は、２枚のプラスチックフィルムを重合し、上下の２辺を熱溶着し、左右の２辺を開放端とした伝票類カバーであって、該伝票類カバーの下面シートの背面に複数列の帯状の粘着剤層を形成すると共に、上面シートの表面に剥離コート層を形成した、剥離紙のない伝票類カバー用粘着袋としたものである。
【００１０】
また、請求項３に係る本考案は、巾方向に連続する伝票類カバー用粘着袋の熱溶着された連設部に、切離用の分離線を形成したものである。
【考案の効果】
【００１１】
本考案では、２枚の透明プラスチックフィルムで３辺を熱溶着し、一方を開放端として伝票類を封入できる伝票類カバー用粘着袋とし、上面シートとなる透明プラスチックフィルムの表面に剥離コート層を形成することで、ロール状に巻き取った場合にも背面の粘着剤が接着せず、剥離紙を必要としないので、省資源化、コストダウンが図れる。
【００１２】
尚、粘着剤層は下面シートの両側及び中間領域に帯状に塗布しているので、高価な粘着剤の無駄がない。
【考案を実施するための最良の形態】
【００１３】
図１は本考案の伝票類カバー用粘着袋１の背面図、図２は断面図を示すもので、透明プラスチックフィルムからなる方形の上面シート２と下面シート３を重合し、３辺を熱溶着４し、１辺を開放端５とし伝票類の封入口としている。また、図３の実施例のように、上面シート２と下面シート３を重合し、上下の２辺を熱溶着４し、左右の２辺を開放端５，５としてもよい。
【００１４】
また、上面シート２の表面にはシリコンコート等公知の材料による剥離コート層６が形成されている。また、下面シート３の背面には左右の側方向と中間領域にそって互いに平行する複数列の帯状の粘着剤層７が塗布されて、伝票類カバー用粘着袋として構成している。
【００１５】
尚、前記帯状の粘着剤層７は、被着体への接着が目的であるから、接着力に影響のない程度に帯状の巾は極力狭めることで粘着剤の無駄を低減させることができる。
【００１６】
この伝票類カバー用粘着袋１は、図４に示すように巾方向に連続して形成したものを各１枚毎に切離するミシン目などの分離線８が熱溶着された連設部９に形成されてロール状に巻き取られて提供される。又、ミシン目などの分離線８を形成しない連続地のものは、ラベラー等によって１枚毎に切断して使用される。
【００１７】
以上のように構成したことで、使用に際しては１枚毎の伝票類カバー用粘着袋１に切離し、荷物である被着体Ａに、背面の帯状の粘着剤層７の粘着力にて強固に貼り付けられる。伝票類Ｂは、伝票類カバー用粘着袋１の一方の開放端５より封入する。
【産業上の利用可能性】
【００１８】
本考案は、荷物の集配用に好適で、省資源化が図れ、コストダウンを可能とする伝票類カバー用粘着袋として流通コストの低減に寄与するものである。
【図面の簡単な説明】
【００１９】
【図１】本考案の伝票類カバー用粘着袋の実施例を示す背面図である。
【図２】同断面図である。
【図３】本考案の他の実施例を示す伝票類カバー用粘着袋の背面図である。
【図４】連続して形成され、ミシン目により１枚地の伝票類カバー用粘着袋に切離可能な状態の説明図である。
【図５】伝票類を封入し、被着体に接着された状態の説明図である。
【図６】伝票類の封入された状態を示す断面図である。
【図７】一般的な袋状の伝票類カバーの説明図である。
【符号の説明】
【００２０】
１  伝票類カバー用粘着袋
２  上面シート
３  下面シート
４  熱溶着
５  開放端
６  剥離コート層
７  粘着剤層
８  分離線
９  連設部
【図１】
0003111630.tif 000003
【図２】
0003111630.tif 000004
【図３】
0003111630.tif 000005
【図４】
0003111630.tif 000006
【図５】
0003111630.tif 000007
【図６】
0003111630.tif 000008
【図７】
0003111630.tif 000009